Podtech/llm-jp-corpus-v4-ja_patent huggingface dataset:
(57)【要約】【課題】  皮の部分の食感が軽く、洋風のフィリングとの相性が良いたい焼きを提供する。【解決手段】  たい焼きの皮の部分に、冷凍パイシートを用いる。たい焼き製造時に、長方形の冷凍パイシートの中央部に餡やクリーム等のフィリングを置いて、上にもう１枚の同型の冷凍パイシートを合わせて接着した後、たい焼き器の一対の焼型の片方に置き、反対側の焼型をこれに合わせて焼き上げる。なお、製造時に鯛の形の部分の外側に付着した生地とともに提供することで、よりパイの食感を楽しめるものとなる。【選択図】図４
0003194586.tif 000002
【実用新案登録請求の範囲】
【請求項１】
皮の部分に冷凍パイ生地を用いて製造したたい焼き。
【請求項２】
前記たい焼きにおいて、製造時に鯛の形の部分の外側に付着した生地とともに提供するたい焼き。
【考案の詳細な説明】
【技術分野】
【０００１】  本考案は、焼き菓子であるたい焼きに関する。
【背景技術】
【０００２】  たい焼きは、左右に一つないし多数の魚の形状のくぼみを有する一対の焼型に、小麦粉を主原料とする生地を流し入れて加熱し、一方の焼型における魚の形状の中央部に餡やクリーム等のフィリングを置いてから、左右の一対の焼型を合わせて焼き上げることにより製造される、鯛の形をした菓子であり、明治時代から我が国の代表的な大衆菓子として親しまれているものである。【０００３】  たい焼きの皮となる生地は、小麦粉に砂糖や重曹などを加えたものが主流であり、これによりもちもちとした食感が得られる。
【先行技術文献】
【特許文献】
【０００４】
【特許文献１】  実用新案登録第３０８９３３５号公報
【特許文献２】  実用新案登録第３１８９６６６号公報
【考案の概要】
【考案が解決しようとする課題】
【０００５】  しかしながら、たい焼きの皮はもちもちとしているために満腹感が得られやすく、その食感に重さがあるために、女性や子供などにとっては、たい焼き１個全部を食べることが困難な場合がある。また、たい焼きのフィリングには、古来からの餡のほか、カスタードクリームやリンゴジャムなど洋風のものも開発されているが、これらと従来の皮との相性が必ずしも良いとはいえない場合がある。【０００６】  そこで、本考案は、たい焼きの皮について、より軽い食感が得られるようにしてより食べやすくするとともに、洋風のフィリングにも相性の良いものとしてたい焼きの幅を広げることにより、従来より広い層が楽しむことのできるたい焼きを提示することを目的とする。
【課題を解決するための手段】
【０００７】  たい焼きの皮の部分に、従来の生地に代えて冷凍パイシートを用いる。たい焼き製造時に、長方形の冷凍パイシートの中央部に餡やクリーム等のフィリングを置いてから、その外縁部に接着のための水を塗り、上にもう１枚の同型の冷凍パイシートを合わせて周縁を圧着したものを、たい焼き器の一対の焼型の片方に置き、反対側の焼型をこれに合わせて焼き上げる。
【考案の効果】
【０００８】  本考案にかかるたい焼きは、パイのサクサクとした歯触りを楽しめるものであり、従来のたい焼きに比して軽い食感が得られる。また、パイ生地に含まれるバターの香りが加熱により引き立ち、餡はもちろんのこと、カスタードクリーム、リンゴ等の果実のジャム、チキングラタン、チーズ等の洋風のフィリングとの相性が良い。したがって、従来のたい焼きのような間食用のみならず、軽食としても供することができ、従来よりも広い層が楽しむことのできるたい焼きとなっている。
【図面の簡単な説明】
【０００９】
【図１】  長方形の冷凍パイシートを並べ、その上の中央部にフィリングを置いた図である。
【図２】  前記パイシートの上に、もう１枚の冷凍パイシートを重ねて周縁を圧着した図である。
【図３】  たい焼き器の一対の焼型の片方に、前記のパイシートを重ねたものを置いた図である。
【図４】  冷凍パイシートを用いたたい焼きの完成図である。
【図５】  前記たい焼きを、製造時に鯛の形の部分の外側に付着した生地とともに、２つに切って皿に盛り、フォークとともに提供する例図である。
【考案を実施するための形態】
【００１０】  以下、本考案の実施形態を、図面に基づいて説明する。たい焼き器における魚の形状のくぼみよりも一回り多くカットした冷凍パイシートを机に並べ、その中央部分に、餡やカスタードクリームなどのフィリングを置く。図１に示されるように、フィリングは、パイシート中央部分にやや広めに均一の厚さに広げる。
【００１１】  上記パイシートの上部の周縁部に、接着のための水をつけて、もう１枚の同型のパイシートを上に乗せて、軽く圧着する。図２に示される形状となる。
【００１２】  図３に示されるように、たい焼き器の一対の焼型の片方（図３では右側）に、上記の素材を乗せて、もう片方をかぶせるように合わせ、１８０℃で６分間焼成する。
【００１３】  焼き上がったら、たい焼き器を広げ、隣接するパイシート同士が重なっている場合にはこれをポリエステル製のヘラなどで切り分けながら、たい焼き器から外す。図４が完成したたい焼きの図である。このとき、鯛の形の部分の外側に付着した生地を切り離さず、そのまま提供すると、よりサクサクした食感が楽しめるものとなる。なお、フィリングの種類によっては、粉砂糖などのトッピングを振りかけることも良い。
【００１４】  図５は、本考案にかかるたい焼きの提供例である。洋食器の小ぶりの皿の上に、２つに切ったたい焼きを外側に付着した生地とともに置き、洋食器であるフォークとともに提供する。
【図１】
0003194586.tif 000003
【図２】
0003194586.tif 000004
【図３】
0003194586.tif 000005
【図４】
0003194586.tif 000006
【図５】
0003194586.tif 000007
【手続補正書】
【提出日】平成26年9月8日(2014.9.8)
【手続補正１】
【補正対象書類名】実用新案登録請求の範囲
【補正対象項目名】全文
【補正方法】変更
【補正の内容】
【実用新案登録請求の範囲】
【請求項１】
冷凍パイ生地を焼成したものを外側にし，内部にあんまたはクリームなどからなるフィリングがあることを特徴とするたい焼き。
【請求項２】
鯛様の形の周囲に焼成時に残存する生地が付着したままの形状を特徴とする請求項１記載のたい焼き。
(57)【要約】      （修正有）【課題】分解／組立てができ、萎縮している身体を伸ばすことができるぶらさがり〜逆上がり健康器具を提供する。【解決手段】鉄棒１を支える厚さ３４ｍｍ×巾１８０ｍｍ×高さ２１２０ｍｍの右と左の保立合板２に、４０ｍｍφの穴を４箇所あけ、足下を巾１０００ｍｍにして中心部を高さ１５０ｍｍ刻み、横に倒れないように厚さ３４ｍｍ×巾５００ｍｍ×高さ５００ｍｍの庇い手６の上部を３５０ｍｍ刻み、保立合板の足下中心部に組み付ける。鉄棒は長さ２０００ｍｍ×３６ｍｍφであり、保立合板の上３段の穴４に身長に応じて自由に差し込みが出来る。下の１箇所の穴５は逆上りの時に使用する。【選択図】図１
0003194587.tif 000002
【実用新案登録請求の範囲】
【請求項１】
本考案は３５ｍｍφの鉄棒の長さ２０００ｍｍの両例の先端が  前記鉄棒の先端が保立に抜き差しの出来るベニヤ合板の厚さ３４ｍｍ×巾１８０ｍｍに  前記保立の足の部分を前後に倒れないように１０００ｍｍ高さ２１２０ｍｍに  前記保立に鉄棒の差し込の４０ｍｍφの穴を４ヶ所あけました  前記保立の下中心に巾３４ｍｍ高さ１５０ｍｍを刻み  前記の保立の刻んだ所に横に倒れないように庇い手厚さ３４ｍｍ×巾５００ｍｍ高さ５００ｍｍの上部を３５０ｍｍ刻み保立下中心部に組み付けた  ぶらさがり〜逆上がり健康器具
【考案の詳細な説明】
【技術分類】
【０００１】体力を付ける為  背筋を伸ばす器具です
【背景技術】
【０００２】病気あがりで公園等をまわったがぶらさがり鉄棒はなかったので作る事にしました  家の中では取り付ける事が出来ないので分解の出来る物でないと困る
【考案の開示】
【０００３】そこで３５ｍｍφの鉄棒をベニヤ合板の保立に４０ｍｍφの穴をあけ差し込み組立る事が出来るようにしました
【課題を解決するための手段】
【０００４】保立ベニヤ合板の厚さ３４ｍｍ高さ２１２０ｍｍ巾１８０ｍｍその保立の下側の足の部分を倒れないように巾１０００ｍｍにして足下中心部を巾３４ｍｍ高さ１５０ｍｍを刻み  前記保立をささいる庇い手を厚さ３４ｍｍ  高さ５００ｍｍ  巾５００ｍｍの上部を３５０ｍｍお刻み組み付けました
【考案の効果】
【０００５】前記鉄棒は人に背の高さによって保立の差し込みを変える事が出来るように３ヶ所に穴をあけました  中間の空いている所に１ヶ所  逆上りの穴を付けました
【考案の実施するため最良の形態】
【０００６】前記の庇え手は小さくしたいのでしらべました病院の点滴スタンドは巾７８６ｍｍ  自轉車スタンドは巾２１０ｍｍです庇え手の巾５００ｍｍなら充分に安心できます
【実施例】
【０００７】以下の添い付けの図面に従って説明します  １  は固定しないで抜き差しの出来る３５ｍｍφの鉄棒ですこの鉄棒を人の背の高さによって  ４  の穴を３ヶ所ぶらさがりの出来るようにしました  ５、の穴は空いているので逆上りの穴を付けました【０００８】２  のベニヤ合板厚さ３４ｍｍ  高さ２１２０ｍｍ巾１８０ｍｍにしたそこに倒れないように３  足の部分の所を巾１０００ｍｍにしました足下中心を巾３４ｍｍ  高さ１５０ｍｍを刻み６  のベニヤ合板の厚さ３４ｍｍ  高５００ｍｍ  巾５００ｍｍ上部に巾３４ｍｍ高さ３５０ｍｍを刻み保立下に差し込み倒れないように庇い手を付けました【０００９】このぶらさがり逆上り健康器具は分解して何処へでも移動して組立てる事が出来ます
【図面の簡単な説明】
【００１０】
【図１】本考案の斜面から見た図面です
【図２】本考案の分解した図面です
【符号の説明】
【００１１】１  鉄棒
２  保立
３  保立の足下部分
４  ぶらさがりの差し込の穴
５  逆上りの差し込の穴
６  保立をささいる庇い手
【図１】
0003194587.tif 000003
【図２】
0003194587.tif 000004
【手続補正書】
【提出日】平成26年9月8日(2014.9.8)
【手続補正１】
【補正対象書類名】実用新案登録請求の範囲
【補正対象項目名】全文
【補正方法】変更
【補正の内容】
【実用新案登録請求の範囲】
【請求項１】
ぶらさがり逆上り器具の鉄棒を支える右と左の保立合板の厚さ３４ｍｍ×板巾１８０ｍｍ×高さ２１２０ｍｍの板に４０ｍｍφの穴を４箇所あけ保立の足下の所を倒れないように巾１０００ｍｍにして足下中心部を高サ１５０ｍｍ刻みこの保立が横に倒れないように支える庇い手の厚さ３４ｍｍ×巾５００ｍｍ高サ５００ｍｍの上部を３５０ｍｍ刻み保立下中心部に組み付けこれで保立は倒れない前記鉄棒は長サ２０００ｍｍ×３６ｍｍφで先端が保立合板の４０ｍｍφの穴４箇所の上の３段にさしこみ身長に応じて自由に差し込みが出来下の１箇所は逆上りの時にさしこみの出来る  ぶらさがり〜逆上り健康器具
(57)【要約】      （修正有）【課題】日本古来の伝統でもある、弔事のお供えと、粗供養に対応した墨色の濃淡だけで、作る商品パッケージを提供する。【解決手段】一見しただけで、その商品が弔事用だと分かるように薄墨色の濃淡だけで文字、模様、図形をあしらった、袋状の商品パッケージ。【選択図】図２
0003194597.tif 000002
【実用新案登録請求の範囲】
【請求項１】
弔事専用に薄墨色の濃淡で文字、模様、図形をあしらった商品パッケージ
【考案の詳細な説明】
【技術分野】
【０００１】この考案は、日本古来の伝統でもある、弔事のお供えと、粗供養に対応した墨色の濃淡だけで、作る商品パッケージである。
【背景技術】
【０００２】従来我が国では、人が亡くなると仏式では、７日ごとに、初七日、二七日  三七日…四十九日といった忌日、それに加えて初盆、一周忌、三回忌、七回忌・・五十回忌といった年ごとの法要があり、その日には、菓子などの供物を、仏前に持参する【０００３】また、神式では、翌日祭、十日祭、二十日祭、・・五十日祭、百日祭といった日に、霊前に供物を持参する。【０００４】その、供物を頂いた喪家側は、供養が終わると、供物を頂いた先様に粗供養といって、菓子などをお返しとする。【０００５】弔事の風習は、宗教だけでなく、地方によっても違い複雑である。
【考案の概要】
【考案が解決しようとする課題】
【０００６】弔事用進物の複雑、過剰ともいえる包装の簡素化
【課題を解決するための手段】
【０００７】商品パッケージを墨色の濃淡にすることによって、一目瞭然で弔事用とわかるため従来の包装のワン工程は、省ける
【図面の簡単な説明】
【０００８】
【図１】本考案に係る弔事専用薄墨色商品パッケージの表面図である。
【図２】図１の弔事専用薄墨色商品パッケージの展開図である。
【考案の効果】
【０００９】過剰ともいえる弔事用包装を少しでも簡素化できる。  しいては、パルプの資源確保にもつながる。
【考案を実施するための最良の形態】
【００１０】以下本考案の形態を図面に基づき説明する。【００１１】
0003194597.tif 000003
で袋状にしたものである。
従来のデザインがカラーで出来ているのを、弔事用専用に全くの薄墨色だけを使う。このことによって、従来の仏事用包装紙と、弔事用熨斗紙の包装の工程が省略できる。【００１２】（書類名）添付書類図面の画像取り込み図▲１▼は、従来の商品を使った時の包装の工程である。【００１３】（書類名）添付書類図面の画像取り込み図▲２▼は、本考案の弔事用薄墨色商品パッケージを使った時の包装の工程である。【００１４】本考案を使うことによって、添付書類図▲１▼のｂとｃの作業は、省略できる。
【符号の説明】
【００１５】１  本考案の弔事専用薄墨色商品パッケージ
２  のりしろ
３  山折り線
４  谷折り線
【図１】
0003194597.tif 000004
【図２】
0003194597.tif 000005
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
一見しただけで、その商品が弔事用だと分かるように薄墨色の濃淡だけで文字、模様、図形をあしらった、袋状の商品パッケージです。
【手続補正２】
【補正対象書類名】図面
【補正対象項目名】全図
【補正方法】変更
【補正の内容】
【図１】
0003194597.tif 000006
【図２】
0003194597.tif 000007
【手続補正３】
【補正対象書類名】明細書
【補正対象項目名】００１１
【補正方法】変更
【補正の内容】
【００１１】図１は、図２の展開図をもとに破線で山折り、一点鎖線で谷折り、斜線で表したのがのりしろで、袋状にしたものである。
従来のデザインがカラーで出来ているのを、弔事用専用に全くの薄墨色だけを使う。  このことによって従来の弔事用包装紙と、弔事用熨斗紙の包装の工程が省略できる
(57)【要約】      （修正有）【課題】球威が強かったり、球筋が変化した場合でも、バットの芯に容易に当てることができるイージーミートバットを提供する。【解決手段】打撃部３を巨大化し、さらに打撃部３を円柱形または楕円形または平面型を構成するものである。【選択図】図１
0003194564.tif 000002
【実用新案登録請求の範囲】
【請求項１】
従来のバット本体の打撃部を著しく大きくし、円柱形を形成したことを特徴とするバット。
【請求項２】
従来のバット本体の打撃部を楕円形に形成したことを特徴とする請求項１記載のイージーミートバット。
【請求項３】
従来のバット本体の打撃部を平面型形成したことを特徴とする請求項１記載のイージーミートバット。
【考案の詳細な説明】
【技術分野】
【０００１】
本考案は、球を芯で打撃するのが容易なバットに関するものである。
【背景技術】
【０００２】
野球やソフトボールでは打撃部の面積が狭く、円柱形であるバットを使用していた。
【０００３】
極めて打ちやすい球威や球筋でなければ初心者は芯で打つことは困難であった。
【０００４】
バッティングセンターでは上記の理由から初心者は十分に利用できなかった。
【０００５】
アドバンテージを課すハンディキャップとして使えるバットが見当たらない。
【考案の概要】
【考案が解決しようとする課題】
【０００６】
解決しようとする問題点は、球威が強かったり、球筋が変化した場合はバットの芯に当てるのが困難な点である。
【課題を解決するための手段】
【０００７】
本考案は、バットの打撃部の面積を広くし、打撃部を平面型または楕円形または円柱形であることを特徴とする。
【考案の効果】
【０００８】
本考案のイージーミートバットを使用すれば、球威が強かったり、球筋が変化した場合でもバットの芯に当てるのが比較的容易な点である。
【図面の簡単な説明】
【０００９】
【図１】図１はイージーミートバットの実施方法を示した説明図。（実施例１）
【図２】図２はイージーミートバットの実施方法を示した説明図。（実施例２）
【図３】図３はイージーミートバットの実施方法を示した説明図。（実施例３）
【考案を実施するための形態】
【００１０】
本考案のバットは、金属製や木製やプラスチック製等の野球用またはソフトボール用として使用できる。
【実施例１】
【００１１】
図１は打撃部を巨大化し、打撃部を円柱形に形成したことにより球との接触部分の面積が広がり、打撃が比較的容易になったものである。
【実施例２】
【００１２】
図２は打撃部を巨大化し、打撃部を楕円形に形成したことにより球との接触部分の面積が広がり、実施例１よりも球が前方へ飛びやすくもなり、打撃が比較的容易になったものである。
【実施例３】
【００１３】
図３は打撃部を巨大化し、打撃部を平面型に形成したことにより球との接触部分の面積が広がり、実施例１または２よりも球が前方へ飛びやすくもなり、打撃が比較的容易になったものである。
【産業上の利用可能性】
【００１４】
本考案のイージーミートバットを使用すれば、バッティングセンターが初心者でも十分に利用できる。
【００１５】
本考案のイージーミートバットを使用すれば、アドバンテージを課すハンディキャップが成立する。
【符号の説明】
【００１６】
１    バット本体
２    グリップ部
３    打撃部
４    円柱形
５    楕円形
６    平面型
【図１】
0003194564.tif 000003
【図２】
0003194564.tif 000004
【図３】
0003194564.tif 000005
(57)【要約】      （修正有）【課題】保護機能及び支持機能を同時に実現できる電子デバイス用保護カバーを提供する。【解決手段】電子デバイス用保護カバー１００は、本体と、本体の辺縁から延在し且つ本体を囲むフレームと、を備える。本体及びフレームは、可撓性連結部３３によって連結された第一ケース３１及び第二ケース３２が形成され、第二ケース３２は、第二ケース３２と第一ケース３１との間に一定の角度を形成するように、可撓性連結部３３を引き伸ばして外側に回転させ、これにより、電子デバイス用保護カバー１００は立つことができるため、電子デバイスを支持することができる。【選択図】図２
0003194570.tif 000002
【実用新案登録請求の範囲】
【請求項１】
本体と、前記本体の辺縁から延在し且つ前記本体を囲むフレームと、を備える電子デバイス用保護カバーにおいて、前記本体及び前記フレームには、可撓性連結部によって連結された第一ケース及び第二ケースが形成され、前記第二ケースは、前記第二ケースと前記第一ケースとの間に一定の角度を形成するように、前記可撓性連結部を引き伸ばして外側に回転させ、これにより、前記電子デバイス用保護カバーは立つことができるため、電子デバイスを支持することができることを特徴とする電子デバイス用保護カバー。
【請求項２】
前記可撓性連結部は、前記本体に形成された可撓性の折り目であり、前記可撓性の折り目は、前記本体の内表面に形成されたアーク状の溝であることを特徴とする請求項１に記載の電子デバイス用保護カバー。
【考案の詳細な説明】
【技術分野】
【０００１】
本考案は、電子デバイス用保護カバーに関し、特に保護機能及び支持機能を同時に実現することができる電子デバイス用保護カバーに関するものである。
【背景技術】
【０００２】
技術の発展に伴い、現在スマートフォン、タブレットＰＣ等の携帯型の電子デバイスが益々普及している。電子デバイスを保護するために、ユーザは、一般的には、電子デバイスを保護カバー内に設置する。従来の保護カバーは、通常、電子デバイスを保護するために使用されるが、電子デバイスを使用する際に電子デバイスを支持することはできない。
【考案の概要】
【考案が解決しようとする課題】
【０００３】
以上の問題点に鑑みて、本考案は、保護機能及び支持機能を同時に実現することができる電子デバイス用保護カバーを提供することを目的とする。
【課題を解決するための手段】
【０００４】
本考案に係る電子デバイス用保護カバーは、本体と、本体の辺縁から延在し且つ本体を囲むフレームと、を備える。本体及びフレームは、可撓性連結部によって連結された第一ケース及び第二ケースが形成され、第二ケースは、第二ケースと第一ケースとの間に一定の角度を形成するように、可撓性連結部を引き伸ばして外側に回転させ、これにより、保護カバーは立つことができるため、電子デバイスを支持することができる。
【考案の効果】
【０００５】
本考案に係る電子デバイス用保護カバーは、保護カバーの機能を実現することができる一方、電子デバイスの支持ブラケットとしても使用することができるため、ユーザに便利である。
【図面の簡単な説明】
【０００６】
【図１】本考案の実施例に係る電子デバイス用保護カバーの立体斜視図である。
【図２】図１に示した電子デバイス用保護カバーの使用状態を示す図である。
【考案を実施するための形態】
【０００７】
以下、図面に基づいて、本考案に係る電子デバイス用保護カバーについて詳細に説明する。
【０００８】
図１を参照すると、本考案の実施形態に係る電子デバイス用保護カバー１００は、矩形を呈する本体２１と、本体２１の辺縁から垂直に延在し且つ本体２１を囲んでいるフレーム２２と、を備える。本実施形態において、フレーム２２は、電子デバイス（図示せず）の辺縁を覆うために用いられる。
【０００９】
本実施形態において、本体２１及びフレーム２２は、可撓性連結部３３によって連結された第一ケース３１及び第二ケース３２を含む。本実施形態において、可撓性連結部３３は、本体２１に形成された可撓性の折り目であり、この可撓性の折り目は、本体２１の内表面に形成されたアーク状の溝である。可撓性連結部３３は、熱可塑性ポリウレタン（ＴＰＵ）等の可撓性材料で作られている。
【００１０】
図２を参照すると、電子デバイス用保護カバー１００を使用する際、第二ケース３２と第一ケース３１との間に一定の角度が形成されるように、可撓性連結部３３を引き伸ばした後、第二ケース３２を外側に回転させる。これにより、電子デバイス用保護カバー１００を立てることができるため、電子デバイスを横方向又は縦方向に支持することができる。
【００１１】
また、図１に示したように、フレーム２２における可撓性連結部３３に対応する部分には、スリット３４が形成されている。これにより、第二ケース３２は、第一ケース３１から分離して外側に回転することができる。
【００１２】
本考案に係る電子デバイス用保護カバー１００は、保護カバーの機能を実現することができる一方、電子デバイスの支持ブラケットとしても使用することができる。従って、別の支持ブラケットを携帯する必要がないため便利である。
【符号の説明】
【００１３】
１００  電子デバイス用保護カバー
２１  本体
２２  フレーム
３１  第一ケース
３２  第二ケース
３３  可撓性連結部
３４  スリット
【図１】
0003194570.tif 000003
【図２】
0003194570.tif 000004
(57)【要約】【課題】板材に汚れが残る問題を改善する超音波洗浄装置を提供する。【解決手段】駆動軸１１、ブラシ本体１２、および超音波発生器１３を備える。駆動軸１１は、外力により駆動され回転可能である。ブラシ本体１２は、駆動軸１１に固接されており駆動軸１１により駆動され回転可能である。超音波発生器１３は、駆動軸１１を連結されており、超音波を発生し、超音波を駆動軸１１に伝達し、駆動軸１１によって超音波をブラシ本体１２に伝達させる。【選択図】図１
0003194528.tif 000002
【実用新案登録請求の範囲】
【請求項１】
外力により駆動され回転可能な一つの駆動軸と、
前記駆動軸に固接されており、前記駆動軸により駆動され回転可能な一つのブラシ本体と、
前記駆動軸に連結されており、超音波を発生し、超音波を前記駆動軸に伝達し、前記駆動軸により超音波を前記ブラシ本体に伝達させる一つの超音波発生器と、を備えることを特徴とする超音波洗浄装置。
【請求項２】
前記ブラシ本体は、駆動軸に覆設されており、前記駆動軸に沿って設置されていることを特徴とする請求項１に記載の超音波洗浄装置。
【請求項３】
前記ブラシ本体は、外表面に複数の穴が形成されていることを特徴とする請求項２に記載の超音波洗浄装置。
【請求項４】
前記ブラシ本体は、前記駆動軸の一端に固接されていることを特徴とする請求項１に記載の超音波洗浄装置。
【請求項５】
前記ブラシ本体は、外表面に複数の穴が形成されていることを特徴とする請求項４に記載の超音波洗浄装置。
【考案の詳細な説明】
【技術分野】
【０００１】
本考案は、洗浄装置に関し、特に板材の洗浄作業に適用する超音波洗浄装置に関する。
【背景技術】
【０００２】
通常、板材（例えばウエハーあるいはガラス基板）を洗浄する方法は、乾式洗浄及び湿式洗浄を含む。乾式洗浄は、紫外線（UV light）が板材を照射することによって、板材に付着した有機物質と酸素とを反応させ、発生した一酸化炭素、二酸化炭素、あるいは水蒸気を空気中に散逸させることで有機物質を除去する。湿式洗浄は、ブラシと水あるいは洗剤との組みあわせによって、板材の微粒子汚染、有機物質汚染及びイオン汚染等の問題を解決する。その原理は、ブラシにより板材に対する洗浄を行いブラシの毛材に表面に付着した微粒子汚れを除去することである。しかしながら、どのようにブラシを配置しても、板材に汚れが残る。
【考案の概要】
【考案が解決しようとする課題】
【０００３】
本考案は、上述の問題に鑑みてなされたものであり、その目的は、板材に汚れが残る問題を改善する超音波洗浄装置を提供することにある。
【課題を解決するための手段】
【０００４】
本考案が提供した超音波洗浄装置は、駆動軸、ブラシ本体、および超音波発生器を備える。駆動軸は、外力により駆動され回転可能である。ブラシ本体は、駆動軸に固接されており駆動軸により駆動され回転可能である。超音波発生器は、駆動軸を連結されており、超音波を発生し、超音波を駆動軸に伝達し、駆動軸によって超音波をブラシ本体に伝達させる。
【０００５】
本考案による超音波洗浄装置において、駆動軸がブラシ本体を駆動し、ブラシ本体が板材に対して洗浄を行う。また超音波発生器は、超音波を発生し、超音波をブラシ本体に伝達する。よって、板材に対するブラシ本体の洗浄効果を向上させることができる。
【図面の簡単な説明】
【０００６】
【図１】本考案の第一実施形態による超音波洗浄装置を示す斜視図である。
【図２】本考案の第一実施形態による超音波洗浄装置を示す側面図である。
【図３】本考案の第二実施形態による超音波洗浄装置を示す側面図である。
【図４】本考案の第三実施形態による超音波洗浄装置を示す斜視図である。
【０００７】
（第一実施形態）
図１及び図２に示すように、本考案の第一実施形態による超音波洗浄装置は、一つの駆動軸１１、一つのブラシ本体１２及び一つの超音波発生器１３を備える。
【０００８】
駆動軸１１は、円柱状を呈し、外力（例えばモーターの駆動力）により駆動され回転可能である。
【０００９】
ブラシ本体１２は、駆動軸１１に固接され、また駆動軸により駆動され回転可能である。本実施形態において、ブラシ本体１２は、駆動軸１１に套設され、また駆動軸に沿い設置されている。
【００１０】
超音波発生器１３は、駆動軸１１を連結し、超音波を発生し、超音波を駆動軸に伝達し、また駆動軸１１によって超音波をブラシ本体１２に伝達する。
【００１１】
（第二実施形態）
図３に示すように、本考案の第二実施形態による超音波洗浄装置において、第一実施形態と違う点は、ブラシ本体１２が可撓性材料（例えば、プラスチック、ゴム、スポンジあるいは織物等）で製造されている、また複数の穴１２１がブラシ本体１２の外表面に設置されていることにある。使用時に板材の表面からブラシ本体１２に除去された汚れが各穴１２１に入るため、板材に対する洗浄効果を向上させることができる。
【００１２】
（第三実施形態）
図４に示すように、本考案の第三実施形態による超音波洗浄装置において、ブラシ本体１２は、駆動軸１１の一端に固接され、駆動軸１１により駆動され回転可能である。
【００１３】
板材に対して洗浄作業を行う時、本考案が提供した超音波洗浄装置において、駆動軸１１は、ブラシ本体１２を駆動し回転させる。ブラシ本体１２は、板材を接触し、洗浄作業を行う。超音波発生器１３は、超音波を発生し、超音波を駆動軸１１に伝達し、また駆動軸１１により超音波をブラシ本体１２に伝達する。よって、本考案による超音波洗浄装置において、駆動軸１１がブラシ本体１２を駆動し板材に対して洗浄を行わせ、また超音波発生器が超音波を発生しブラシ本体１２に伝達するため、板材１２に対するブラシ本体の洗浄効果を向上させ、板材に汚れが残る問題を改善することができる。
【符号の説明】
【００１４】
１１  駆動軸        
１２  ブラシ本体
１２１  穴
１３  超音波発生器
【図１】
0003194528.tif 000003
【図２】
0003194528.tif 000004
【図３】
0003194528.tif 000005
【図４】
0003194528.tif 000006
(57)【要約】      （修正有）【課題】サイドブレーキの操作上の安全性を高める操作安全サポート装置を提供する。【解決手段】サイドブレーキの操作安全サポート装置は運転席の近傍に設置され、手動操作して、サイドブレーキレバー１を引くことにより、ブレーキが掛かった状態を保持するサイドブレーキで、運転者のシートベルト２装着の有無の検知回路をコントロールボックス４内に設けるとともに、運転者がフットブレーキ３を踏んでいるか否かの検知回路をコントロールボックス４内に設け、運転者のシートベルト２が未装着で、かつフットブレーキ３を踏んでいない時に、サイドブレーキレバー１が引かれていないか、不十分な引きの時に、サイドブレーキの警告音を発生させる装置をコントロールボックス４内に装着した。【選択図】図１
0003194501.tif 000002
【実用新案登録請求の範囲】
【請求項１】
運転席の近傍に設置され、手動操作して、サイドブレーキレバーを引くことにより、ブレーキが掛かった状態を保持するサイドブレーキにおいて、運転者のシートベルト装着の有無の検知回路を設けるとともに、運転者がフットブレーキを踏んでいるか否かの検知回路を設け、運転者の前記シートベルトが未装着で、かつ前記フットブレーキを踏んでいない時に、前記サイドブレーキレバーが引かれていないか、不十分な引きの時に、サイドブレーキの警告音を発生させる装置を装着したことを特徴とするサイドブレーキの操作安全サポート装置。
【考案の詳細な説明】
【技術分野】
【０００１】  本考案は、乗用車、業務用車両等の停車時に手動操作して、ブレーキが掛かった状態を保持するサイドブレーキの操作安全サポート装置に関する。
【背景技術】
【０００２】  従来は、サイドブレーキの操作安全サポート装置として、［特許文献１］は、走行中や信号待ちなどのための一時的な停止であるか、車両を降りるための停車であるかを、運転者がドアを開けたことで判断し、サイドブレーキレバーが引かれていないか、不十分な引きの時に、運転者がドアを開けたときに、サイドブレーキの警告音を発生させる装置がある。
【先行技術文献】
【特許文献】
【特許文献１】特許第５４７９６４６号
【考案の概要】
【考案が解決しようとする課題】
【０００３】  しかしながら、サイドブレーキレバーが引かれていないか、不十分な引きの時に、運転者がドアを開けたときに、サイドブレーキの警告音を発生させても、運転者がフットブレーキから足を外していれば、坂道の場合、ドアを開ける時間と、警報に気づきサイドブレーキレバーを引き直す時間に、すでに車両が動き出し、危険な場合が考えられる。
そこで、本考案は、サイドブレーキの操作上の安全性を高めることを目的とする。
【課題を解決するための手段】
【０００４】  以上の課題を解決するために、本考案は、運転席の近傍に設置され、手動操作して、サイドブレーキレバーを引くことにより、ブレーキが掛かった状態を保持するサイドブレーキにおいて、運転者のシートベルト装着の有無の検知回路を設けるとともに、運転者がフットブレーキを踏んでいるか否かの検知回路を設け、運転者の前記シートベルトが未装着で、かつ前記フットブレーキを踏んでいない時に、前記サイドブレーキレバーが引かれていないか、不十分な引きの時に、サイドブレーキの警告音を発生させる装置を装着する。
【考案の効果】
【０００５】  本考案によれば、運転席の近傍に設置され、手動操作して、サイドブレーキレバーを引くことにより、ブレーキが掛かった状態を保持するサイドブレーキにおいて、運転者のシートベルト装着の有無の検知回路を設けるとともに、運転者がフットブレーキを踏んでいるか否かの検知回路を設け、運転者の前記シートベルトが未装着で、かつ前記フットブレーキを踏んでいない時に、前記サイドブレーキレバーが引かれていないか、不十分な引きの時に、サイドブレーキの警告音を発生させる装置を装着したことにより、サイドブレーキの操作上の安全性を高めることができる。
【図面の簡単な説明】
【０００６】
【図１】本考案の一実施形態を示す運転席の概略図である。
【考案を実施するための形態】
【０００７】  本考案に係る一実施形態を、図１を参照して以下説明する。
図１に示す本考案の実施の形態に係るサイドブレーキの操作安全サポート装置は  運転席の近傍に設置され、手動操作して、サイドブレーキレバー１を引くことにより、ブレーキが掛かった状態を保持するサイドブレーキで、運転者のシートベルト２装着の有無の検知回路をコントロールボックス４内に設けるとともに、運転者がフットブレーキ３を踏んでいるか否かの検知回路をコントロールボックス４内に設け、運転者のシートベルト２が未装着で、かつフットブレーキ３を踏んでいない時に、サイドブレーキレバー１が引かれていないか、不十分な引きの時に、サイドブレーキの警告音を発生させる装置をコントロールボックス４内に装着した。
図中、５はアクセルペダルを示す。また、６は運転者のシートベルト２の装着金具を示す。
【実施例の効果】
【０００８】  以上の構成のサイドブレーキの操作安全サポート装置は、次のような動作を行う。走行中や信号待ちなどの一時停止の場合は、運転者のシートベルト２が装着されているので、フットブレーキ３を踏んでいなくても、サイドブレーキの警告音は発生しない。一方、車両を降りる場合は、フットブレーキ３を踏むことにより、車両を停止させて、運転者のシートベルト２を外す。その時に、サイドブレーキ１が引かれていないか、不十分な引きの時に、フットブレーキ３から、足を外すと、サイドブレーキの警告音が発生する。このことにより、サイドブレーキの引き忘れや不十分な引きの防止になり、サイドブレーキの操作上の安全性を高める効果がある。
【産業上の利用可能性】
【０００９】  尚、本考案は上記実施形態に限定されるものでなく、例えば、上記実施形態では、サイドブレーキレバーが運転席の側面の近傍に設置されているが、ダッシュボード下など他の場所に設置されていてもよい。
【符号の説明】
【００１０】  １  サイドブレーキレバー
２  運転者のシートベルト
３  フットブレーキ
４  コントロールボックス
５  アクセルペダル
６  運転者のシートベルト装着金具
【図１】
0003194501.tif 000003
(57)【要約】      （修正有）【課題】バッグ持ち手に多い湾曲形状に対応し、係止手段を用いることなく着脱が簡単で、装飾性を備えた、バッグ持ち手の保護も可能なカバーを提供する。【解決手段】装飾加工を施した軸方向に湾曲した筒状弾性体で、筒体の軸方向に切部３を有し、切部３は一部弧片が軸方向で内外に重ね合うとともに周方向で内外に重ね合い、弾性力により重ね合った切部３を開き、弾性復帰力によりバッグ持ち手を巻き込む形状を構成するとともに重ね合わさった部分が維持される。【選択図】図１
0003194509.tif 000002
【実用新案登録請求の範囲】
【請求項１】
軸方向に湾曲した筒状弾性体で、筒体の軸方向に切部を有し、切部は一部弧片が軸方向で内外に重ね合うとともに周方向で内外に重ね合い、弾性力により重ね合った切部を開き、弾性復帰力によりバッグ持ち手を巻き込む形状を構成するとともに重ね合わさった部分が維持されることを特徴とするバッグ持ち手カバー。
【請求項２】
装飾加工を施した請求項１に記載のバッグ持ち手カバー。
【考案の詳細な説明】
【技術分野】
【０００１】
本考案は、バッグ持ち手カバーに関するものである。
【背景技術】
【０００２】
バッグの持ち手が劣化や傷・汚れを生じた時、バッグの買い替えや修理の依頼をすると時間や費用がかかる。布製テープなどを持ち手部分に巻きつけたり、粘着シートを貼り付けた場合、バッグ持ち手に多い湾曲形状のため、時間や労力の負担に加え、仕上がりの満足度が低いことがある。持ち手に粘着性の物を直接貼り付けると、剥がすのが容易ではないうえに、更に汚れてしまう可能性もある。そこで、着脱可能な利便性と装飾性を備え、保護効果も期待できるバッグの持ち手カバーの提供が必要となる。以下が着脱自在の持ち手カバーである。
【０００３】
バッグの持ち手部分に着脱自在に取り付けて使用するカバーで、長手方向の両サイド縁部に沿って２本のゴムを通して伸縮させ、両サイド縁部に係止手段を設けたことを特徴とする「バッグハンドル用カバー」や持ち手保護カバーの両側を合わせ、外カバー層、ゲル体によって、力を受けた時、変形して手の形状に沿い、握り面積を増大し、振動吸収力、弾力性を具えることを特徴とする「カバン持ち手の保護カバー」がある。
【先行技術文献】
【特許文献】
【０００４】
【特許文献１】実用新案登録第３１９０５６６号公報
【特許文献２】実用新案登録第３１００５３５号公報
【考案の概要】
【考案が解決しようとする課題】
【０００５】
本考案は、バッグ持ち手に多い湾曲形状に対応し、係止手段を用いることなく着脱が簡単で、装飾性を備えた、バッグ持ち手の保護も可能なカバーを提供する。
【課題を解決するための手段】
【０００６】
本考案は、軸方向に湾曲した筒状弾性体で、筒体の軸方向に切部を有し、切部は一部弧片が軸方向で内外に重ね合うとともに周方向で内外に重ね合い、弾性力により重ね合った切部を開き、弾性復帰力によりバッグ持ち手を巻き込む形状を構成するとともに重ね合わさった部分が維持されること、また、筒体に装飾加工を施すことを特徴とする。
【考案の効果】
【０００７】
本考案のバッグ持ち手カバーは、バッグ持ち手に多い湾曲形状に柔軟に対応し、持ち手を巻き込む形状のため係止手段を用いることがなく、更に持ち手保護も兼ねることが可能であるとともに、装飾加工を施した持ち手カバーは着脱自在で着せ替えが楽しめるという利点がある。
【図面の簡単な説明】
【０００８】
【図１】図１は持ち手カバーの全体図である。（実施例１）
【図２】図２は図１の断面図である。（実施例１）
【図３】図３はバッグ持ち手に円筒形状のカバーを装着した場合の断面図である。（実施例２）
【図４】図４はバッグ持ち手に楕円筒形状のカバーを装着した場合の断面図である。（実施例２）
【図５】図５はバッグ持ち手カバー装着時の全体図である。（実施例３）
【考案を実施するための形態】
【０００９】
着脱が簡単で装飾加工を施したバッグ持ち手の保護も可能なカバーを提供するという目的を、弾性復帰力を活かす構造で、係止手段を用いることなく持ち手の湾曲形状に沿うカバーが実現した。
【実施例１】
【００１０】
図１は本考案カバーの全体図で、バッグ持ち手に多い湾曲形状に成型した内外に重なり合う切部を軸方向に有する筒体である。湾曲度は任意であり軸方向も任意の長さであるため、使用者は筒体の任意の部分を切断し装着することも可能である。
【００１１】
図２は図１の断面図で、図１を周方向から見た図でもある。湾曲形状に成型され弾性復帰力により係止手段を用いることなく、巻き込んだカバー切部が重なり合う状態である。
【実施例２】
【００１２】
図３は、本考案カバーの弾性を有する円筒形状体の場合の断面図で、バッグ持ち手に厚みがある場合などに合う形状である。筒体の軸方向に有する切部を開き、バッグ持ち手に沿うようにカバー内側部分から巻き込み包む。カバー切部は弾性復帰力により内外に重ね合わさる。
【００１３】
図４は、本考案カバーの楕円筒形状の場合の断面図で、バッグ持ち手の厚みが薄い場合などに合う形状である。図３と同様にカバーで巻き込む。
【００１４】
筒体形状は円筒形・楕円筒形に限らない。カバー切部形状は直線に限定されない。カバー外側に維持された切部は、湾曲部内側に成型された場合は切部の重なりが見えにくくなるが、切部形状や装飾デザインによっては、湾曲部外側に維持されデザイン効果を高めることもできる。
【実施例３】
【００１５】
図５は本考案カバー装着時の全体図で、持ち手全体に装着しており、持ち手の傷・汚れ隠し以外に保護の効果もある。また、カバーを任意の部分で切断し湾曲部のみや湾曲部以外のみなど自由に装着できる。さらにカバーの周方向に沿って装飾品を付けてもよい。
【産業上の利用可能性】
【００１６】
複数の持ち手を束ねてカバーで巻き込むことにより１本にすることもできる。バッグ持ち手以外に傘の持ち手など湾曲形状のものや、湾曲していない筒体部分で巻き込み可能な物についても適用できる。
【符号の説明】
【００１７】
１    バッグ持ち手カバー
２    バッグ持ち手
３    軸方向切部
４    バッグ本体
５    任意の装飾部品
【図１】
0003194509.tif 000003
【図２】
0003194509.tif 000004
【図３】
0003194509.tif 000005
【図４】
0003194509.tif 000006
【図５】
0003194509.tif 000007
【手続補正書】
【提出日】平成26年10月5日(2014.10.5)
【手続補正１】
【補正対象書類名】明細書
【補正対象項目名】００１０
【補正方法】変更
【補正の内容】
【００１０】
図１は本考案カバーの全体図で、バッグ持ち手に多い湾曲形状に成型した内外に重なり合う切部を軸方向に有する筒体である。湾曲度は任意であり軸方向も任意の長さであるため、使用者は筒体の任意の部分を切断し装着することも可能である。図１のa−a'とb−b'は、図２のa−a'とb−b'に対応している。
【手続補正２】
【補正対象書類名】明細書
【補正対象項目名】００１１
【補正方法】変更
【補正の内容】
【００１１】
図２は図１の断面図で、図１を周方向から見た図でもある。図２のa−a'とb−b'は、図１のa−a'とb−b'に対応している。湾曲形状に成型され弾性復帰力により係止手段を用いることなく、巻き込んだカバー切部が重なり合う状態である。
(57)【要約】      （修正有）【課題】封切りなポリ袋でも周囲四辺の内、どれが開口辺か一目で判り、容易に開口できる折り返し襟を持つポリ袋を提供する。【解決手段】ポリプラスチックフィルムの縁を外側に折り畳み、所定長さ毎に熔断熔接を施す。袋成形後、その辺を開口部とする。【選択図】図３
0003194507.tif 000002
【実用新案登録請求の範囲】
【請求項１】
一般に多用されるポリ袋の使用時  その開口が容易・確実な為  開口部に折返しを持たせた形状の  ポリ袋。
【考案の詳細な説明】
【技術分野】
【０００１】  従来  この分野のポリ袋では  開口部に何も工夫がない場合  その部位と他の閉部との区別すら解り難く  指で摘み摺り合わせる等  煩わしく、印刷・別色材等を用いていた。
【背景技術】
【０００２】  ポリ袋の材料・加工コストを抑え  使用者の便宜を向上する工夫である。
【考案の開示】
【考案が解決しようとする課題】
【０００３】  開口部（辺）と他三部（辺）の区別が  容易に判定できるようにする。但しその為に  印刷・別材を採用するなど  コストアップな工法は採用しない。
【課題を解決するための手段】
【０００４】  プラスチックフィルムの開口辺に相当するフィルムの縁を前もって外側に折り返す。
【考案の効果】
【０００５】  加工設備・工程に大きな違いも無く、使途に何等制限も無く、使い勝手は大幅に改善される。
【考案を実施するための最良の形態】
【０００６】  図１のように  プラスチックフィルムを設え  縁付きに折り畳み  所定長さ毎に熔断熔接を施す。
【実施例１】
【０００７】図２のような  折返し襟付き開口部を持つポリ袋。
【産業上の利用可能性】
【０００８】ポリ袋に限らず  薄幕平坦プラ袋の開口部（辺）に共通の問題があり、その改善に役立つ。
【図面の簡単な説明】
【０００９】
【図１】ロール状のフィルムに  折り返し襟部を施す。
【図２】襟部付きを折り畳み、所定長さで熔接・熔断切れ目を施した状態。
【図３】横断熔接熔断封止分離線で切離し  襟を起こしたポリプラスチックポリ袋。
【符号の説明】
【００１０】  １  プラスチックフィルム素材
２  襟付きに折り畳んだ状態
３  横断熔接熔断封止分離線
【図１】
0003194507.tif 000003
【図２】
0003194507.tif 000004
【図３】
0003194507.tif 000005
(57)【要約】      （修正有）【課題】疲れた肌に優しくリンパを解す事が出来るマッサージャーを提供する。【解決手段】ふくらはぎに当たるローラー１を三つに分け、そのローラーには肌に優しい木製を有し、脛ローラー２には腰のあるスポンジを有したことを特徴とする。【選択図】図２
0003194506.tif 000002
【実用新案登録請求の範囲】
【請求項１】
ふくらはぎに当たるローラーを三つに分け、そのローラーには肌に優しい木製を有し、脛ローラーには腰のあるスポンジを有したマッサージャー。
【考案の詳細な説明】
【技術分野】
【０００１】ふくらはぎを三つのローラーで程よい力で分散。
【背景技術】
【０００２】肌に優しい木の温もりを直接肌に伝える為、木製にした。
【考案の開示】
【考案が解決しようとする課題】
【０００３】疲れた肌に優しくリンパを解す事が出来なかった。
【問題を解決する為の手段】
【０００４】ふくらはぎに三つのローラーとローラーを木製にする事でリンパの流れを優しく包み込む事を解決した。
【考案の効果】
【０００５】三つのローラーと木製のローラーで身も心もほっと癒される。
【図面の簡単な説明】
【０００６】
【図１】構造を示す側面図。
【図２】全体構造を表す立体図。
【符号の説明】
【０００７】（１）リンパローラー
（２）脛ローラー
（３）ロープ
（４）丸ゴム
（５）アーム
（６）取って
【図１】
0003194506.tif 000003
【図２】
0003194506.tif 000004
(57)【要約】      （修正有）【課題】幼児がドアノブに衝突した場合、保護することができるように、ドアノブのレバー側と軸側の両方を一括して緩衝材で覆うドアノブガード・クッションを提供する。【解決手段】ドアノブのレバーと軸４の両方を一括して緩衝材１で覆うため、緩衝材の側面に挿入口２と中心部に挿入空間を設けた。【選択図】図３
0003194504.tif 000002
【実用新案登録請求の範囲】
【請求項１】
緩衝材（１）の側面にドアノブの挿入口（２）を設け、中心部にドアノブの挿入空間（３）を設けたドアノブガード・クッション。
【考案の詳細な説明】
【技術分野】
【０００１】  この考案は、幼児が居住する家屋内のドアノブに幼児が走り回って衝突した場合の保護用具ドアノブガード・クッションに関するものである。
【背景技術】
【０００２】  従来、ドアノブガード・クッションはドアノブのレバー部分にのみ緩衝具を装備するものになっていた。
【先行技術文献】
【特許文献】
【非特許文献】
【０００３】
【非特許文献１】  ワッフルハンドル［ドアノブガード・クッション］
【非特許文献２】  ドアグリップクッション
【非特許文献３】  グリップクッション
【考案の概要】
【考案が解決しようとする課題】
【０００４】  これは、次のような欠点があった。
従来、ドアノブガード・クッションは軸側に緩衝材が施されていないため衝突した場合危険であった。
本考案は、以上のような欠点をなくすためになされたものである。
【課題を解決するための手段】
【０００５】  ドアノブのレバーと軸（４）の両方を一括して緩衝材（１）で覆うため、緩衝材にドアノブ挿入口（２）と挿入空間（３）を設ける。
本考案は、以上の構成よりなるドアノブガード・クッションである。
【考案の効果】
【０００６】  ドアノブガード・クッションがレバーと軸の両方を覆っているので、軸側に衝突した場合でも、保護となる。
レバーと軸を一括して緩衝材で覆っても、ドアを開閉するのになんらさしつかえない。
【図面の簡単な説明】
【０００７】
【図１】  本考案の斜視図である。
【図２】  本考案の断面図である。
【図３】  本考案をドアノブに装備した場合の透視図である。
【考案を実施するための形態】
【０００８】  以下、本考案を実施するための形態について説明する。
緩衝材（１）の側面に、ドアノブの挿入口（２）を設ける。
緩衝材（１）の中心部に、ドアノブの挿入空間を（３）を設ける。
本考案は、以上のような構造である。
これを使用するときは、ドアノブをレバー先端から挿入し、軸の部分まで挿入して装備すればよい。
【符号の説明】
【０００９】  １  緩衝材
２  ドアノブ挿入口
３  ドアノブ挿入空間
４  ドアノブのレバーと軸
【図１】
0003194504.tif 000003
【図２】
0003194504.tif 000004
【図３】
0003194504.tif 000005